(57)【要約】【課題】吹出口の吹出し方向から外れた着座者の身体部位に効率的に風を当てられるようにすること。【解決手段】乗物用空調構造１Ａであって、シート１のシート幅方向の両サイド領域に設けられてシート幅方向の内側に向けて風Ｂを吹き出す一対の吹出口４Ｃを有し、一対の吹出口４Ｃが、シート１の着座者Ｐの特定の身体部位に向けてシート幅方向とは交差する方向である下方向又は後方向に斜めに風Ｂを吹き出して各々から吹き出した風Ｂ同士をシート幅方向に突き当てる配置関係とされている。【選択図】図１
2019001378.tif 000002
【特許請求の範囲】
【請求項１】
乗物用空調構造であって、
乗物用シートのシート幅方向の両サイド領域に設けられてシート幅方向の内側に向けて風を吹き出す一対の吹出口を有し、
前記一対の吹出口が、前記乗物用シートの着座者の特定の身体部位に向けてシート幅方向とは交差する方向に斜めに風を吹き出して各々から吹き出した風同士をシート幅方向に突き当てる配置関係とされている乗物用空調構造。
【請求項２】
請求項１に記載の乗物用空調構造であって、
前記一対の吹出口が、前記乗物用シートのシートバックより前側の両サイド領域に設けられる乗物内装部材に設けられている乗物用空調構造。
【請求項３】
請求項２に記載の乗物用空調構造であって、
前記一対の吹出口が設けられる前記乗物内装部材が、前記乗物用シートの両サイド領域に設けられるアームレストの構造部材である乗物用空調構造。
【請求項４】
請求項２又は請求項３に記載の乗物用空調構造であって、
前記一対の吹出口が、それぞれ、前記乗物用シートのシートクッションより上側かつ前記シートクッションとシート前後方向の配置が重なる両サイド領域にシート前後方向に複数並んで設けられ、各々から吹き出される風の向きが前側領域に設けられた両サイドの対が下斜め向きとされ後側領域に設けられた両サイドの対が上斜め向きとされている乗物用空調構造。
【請求項５】
請求項１から請求項４のいずれかに記載の乗物用空調構造であって、
前記一対の吹出口が、各々の風の吹出し方向をシート幅方向とは交差する方向に調節可能である乗物用空調構造。
【発明の詳細な説明】
【技術分野】
【０００１】
本発明は、乗物用空調構造に関する。詳しくは、乗物用シートの着座者に向けて風を吹き出す吹出口を有する乗物用空調構造に関する。
【背景技術】
【０００２】
従来、車両用空調システムとして、車両のインストルメントメントパネルに着座者の上半身に向かって前側から風を吹き出す第１吹出口が設定され、車両の天井に上記第１吹出口から吹き出される風に向かって後側から風を吹き出して突き当てる第２吹出口が設定された構成が知られている（特許文献１）。上記風の突き当てにより、着座者の周囲に拡散された柔らかな風の流れが形成されて、着座者に快適な強さの風が当てられるようになっている。
【先行技術文献】
【特許文献】
【０００３】
【特許文献１】特開２０１４−１２５１６５号公報
【発明の概要】
【発明が解決しようとする課題】
【０００４】
上記従来技術では、互いに突き当てられた風の一部が着座者には当たらない方向へと拡散してしまうため、着座者に効率的に風を当てることができない。本発明は、上記問題を解決するものとして創案されたものであって、本発明が解決しようとする課題は、吹出口の吹出し方向から外れた着座者の身体部位に効率的に風を当てられるようにすることにある。
【課題を解決するための手段】
【０００５】
上記課題を解決するために、本発明の乗物用空調構造は次の手段をとる。
【０００６】
第１の発明は、乗物用空調構造であって、乗物用シートのシート幅方向の両サイド領域に設けられてシート幅方向の内側に向けて風を吹き出す一対の吹出口を有し、一対の吹出口が、乗物用シートの着座者の特定の身体部位に向けてシート幅方向とは交差する方向に斜めに風を吹き出して各々から吹き出した風同士をシート幅方向に突き当てる配置関係とされている。
【０００７】
この第１の発明によれば、一対の吹出口からシート幅方向とは交差する方向に斜めに吹き出した風を互いにシート幅方向に突き当てるようにすることで、突き当てられた風の向きが更に斜めの方向に曲げられるように変えられる。したがって、上記風を当てたい着座者の身体部位が一対の吹出口の吹出し方向から外れた届きにくい位置にあっても、上記風の向きが突き当たりによって変えられる構成により効率的に風を当てられるようにすることができる。
【０００８】
第２の発明は、上述した第１の発明において、次の構成とされているものである。一対の吹出口が、乗物用シートのシートバックより前側の両サイド領域に設けられる乗物内装部材に設けられている。
【０００９】
この第２の発明によれば、一対の吹出口を、着座者の様々な身体部位に向けてシート幅方向とは交差する方向に斜めに風を吹き出せる好適な位置に設定することができる。
【００１０】
第３の発明は、上述した第２の発明において、次の構成とされているものである。一対の吹出口が設けられる乗物内装部材が、乗物用シートの両サイド領域に設けられるアームレストの構造部材である。
【００１１】
この第３の発明によれば、乗物用シートの両サイド領域に設けられるアームレストの構造部材の構成を利用して、一対の吹出口を、着座者の様々な身体部位に向けて斜めに風を吹き出せる好適な位置に設定することができる。
【００１２】
第４の発明は、上述した第２又は第３の発明において、次の構成とされているものである。一対の吹出口が、それぞれ、乗物用シートのシートクッションより上側かつシートクッションとシート前後方向の配置が重なる両サイド領域にシート前後方向に複数並んで設けられ、各々から吹き出される風の向きが前側領域に設けられた両サイドの対が下斜め向きとされ後側領域に設けられた両サイドの対が上斜め向きとされている。
【００１３】
この第４の発明によれば、シート前後方向に複数並んで設けられた吹出口の両サイドの対のうち、前側領域に設けられた両サイドの対から吹き出される下斜め向きの風により、これらの対から下側に離れた着座者の大腿部や下腿部や足部に効率的に風を当てることができる。また、後側領域に設けられた両サイドの対から吹き出される上斜め向きの風により、これらの対から上側に離れた着座者の胴体部や頭部に効率的に風を当てることができる。
【００１４】
第５の発明は、上述した第１から第４のいずれかの発明において、次の構成とされているものである。一対の吹出口が、各々の風の吹出し方向をシート幅方向とは交差する方向に調節可能である。
【００１５】
この第５の発明によれば、特定位置に設けられた一対の吹出口から、着座者の様々な身体部位に効率的に風を当てられるように、吹出し方向の調節をすることができる。
【図面の簡単な説明】
【００１６】
【図１】実施例１の空調構造の概略構成を表した斜視図である。
【図２】図１の平面図である。
【図３】図１の正面図である。
【図４】図１の側面図である。
【発明を実施するための形態】
【００１７】
以下に、本発明を実施するための形態について、図面を用いて説明する。
【実施例１】
【００１８】
《空調構造１Ａの概略構成について》
始めに、実施例１の空調構造１Ａ（乗物用空調構造）の構成について、図１〜図４を用いて説明する。なお、以下の説明において、前後上下左右等の各方向を示す場合には、各図中に示されたそれぞれの方向を指すものとする。また、「シート幅方向」と示す場合には、後述するシート１（乗物用シート）の左右方向を指し、「シート高さ方向」と示す場合には、シート１の上下方向を指し、「シート前後方向」と示す場合には、シート１の前後方向を指すものとする。
【００１９】
本実施例の空調構造１Ａは、自動車の後部側座席として設けられたシート１に適用されている。上述したシート１は、着座者Ｐの背凭れ部となるシートバック２と、着座部となるシートクッション３と、肘置きとなる左右一対のアームレスト４と、を備えた構成とされている。
【００２０】
上述したシートバック２は、その左右両サイドの下端部が、それぞれ、不図示のリクライナを介して、シートクッション３の左右両サイドの後端部に背凭れ角度の調節を行える状態に連結されている。シートクッション３は、その底面部が、不図示の左右一対のスライドレールを介して、車両のフロア上にシート前後方向の位置を調節することができる状態に連結されている。
【００２１】
《アームレスト４の構成について》
左右一対のアームレスト４は、それぞれ、上述したシートクッション３の左右両サイドの側部に連結されて、これらの側部から立ち上がった高い位置に、肘置きとなる天板面を有した形に設けられている。具体的には、上述した左右一対のアームレスト４は、それぞれ、上述したシートクッション３の左右両サイドの側部からシート幅方向に面を向けた形となって立ち上がる立板部４Ａと、これら立板部４Ａの上縁部分からシート幅方向の内側へと庇状に張り出して上面側に肘置きとなる天板面を有する天板部４Ｂと、を有する構成となっている。ここで、上述した各アームレスト４の天板部４Ｂが、それぞれ、本発明の「乗物内装部材」及び「アームレストの構造部材」に相当する。
【００２２】
上述した各天板部４Ｂは、それぞれ、図２に示すように、上述したシートクッション３の左右両サイドの着座面領域３Ａとシート幅方向の配置が重なるように、各立板部４Ａの上縁部分からシート幅方向の内側へと張り出した形状とされている。また、上述した各天板部４Ｂは、上述したシートクッション３の左右両サイドの着座面領域３Ａとシート前後方向の長さが略同じで、かつ、シート前後方向の配置も略全域において重なるように配設されている。
【００２３】
《吹出口４Ｃの構成について》
そして、図１に示すように、上述した各天板部４Ｂのシート幅方向の内側に張り出した先の各縁部位には、それぞれ、これらの縁部位に沿ったシート前後方向の複数の箇所に、シート幅方向の内側に向かって開口する吹出口４Ｃが形成されている。これら吹出口４Ｃは、それぞれ、各側のアームレスト４内を通って配索されたダクトＣｄを介して、シートクッション３の下部に設置された空調ユニットＣと流路接続されている。上記流路接続により、各吹出口４Ｃは、上述した空調ユニットＣから送り出された風Ｂを、着座者Ｐの身体に向けてシート幅方向の内側へと吹き出すことができるように構成されている。
【００２４】
上述した各アームレスト４に形成された左右両サイドの各吹出口４Ｃは、各側のアームレスト４における着座者Ｐの胴体部Ｐａより前側へと張り出す張出領域（形成領域Ａ）に形成されている。詳しくは、図１〜図４に示すように、上述した各吹出口４Ｃは、それらの風Ｂを吹き出す方向となる開口方向が、シート幅方向の内側に真っ直ぐにではなく、シート幅方向とは交差する方向であるシート高さ方向やシート前後方向に斜めに傾けられた方向に設定されている。
【００２５】
具体的には、上述した各吹出口４Ｃのうち、各形成領域Ａにおけるシート前後方向の略中央箇所から前側となる前側領域Ａ１に配設された各吹出口４Ｃは、それぞれが、互いに左右対称となってシート幅方向の内側かつ斜め下向きに風Ｂを吹き出す開口向きに設定されている。また、各形成領域Ａにおけるシート前後方向の略中央箇所から後側となる後側領域Ａ２に配設された各吹出口４Ｃは、それぞれが、互いに左右対称となってシート幅方向の内側かつ斜め上向きに風Ｂを吹き出す開口向きに設定されている。
【００２６】
《前側領域Ａ１の風Ｂについて》
より詳しくは、上述した各アームレスト４の前側領域Ａ１に配設された左右両サイドの各吹出口４Ｃは、それぞれ、後側（各形成領域Ａにおけるシート前後方向の略中央箇所側）のものから前側のものにいくにしたがって、各々から吹き出される風Ｂの向きが、やや下向きの角度でシート幅方向の内側に略真っ直ぐに向く略横向きの角度から、徐々に前向き、かつ、より下向きとなっていく徐変状の角度向きに設定されている。詳しくは、上述した各吹出口４Ｃの下向きの角度は、それらの風Ｂを当てるターゲットとなる着座者Ｐの大腿部Ｐｃや下腿部Ｐｄや足部Ｐｅといった身体部位よりも高い位置に風Ｂを吹き出す向きに設定されている。
【００２７】
しかし、各吹出口４Ｃが上記のような向き設定とされていても、各アームレスト４の前側領域Ａ１に配設された各吹出口４Ｃから吹き出された風Ｂは、次のようにこれらの吹出口４Ｃより低い位置にある着座者Ｐの大腿部Ｐｃや下腿部Ｐｄや足部Ｐｅといった広い身体部位に亘って適切に当てられるようになっている。なお、以下の説明では、上述した左右両サイドの各吹出口４Ｃから吹き出される風Ｂの強さは、互いに左右で同じ強さに設定されているものとして説明する。ここで、上述した着座者Ｐの大腿部Ｐｃ、下腿部Ｐｄ、及び足部Ｐｅがそれぞれ本発明の「特定の身体部位」に相当する。
【００２８】
すなわち、上述した各アームレスト４の前側領域Ａ１に配設された左右両サイドの各吹出口４Ｃから吹き出された風Ｂは、シートクッション３の着座面領域３Ａ上のシート幅方向の中央、かつ、着座者Ｐの大腿部Ｐｃより高い位置で、互いにシート幅方向に突き当てられる。これにより、互いに左右両サイドから突き当てられた風Ｂ同士が、周囲に突き当てに伴う拡散風を拡散させながら、互いの風Ｂの向きを主として各々の合力方向となる下向きに曲げて、着座者Ｐの大腿部Ｐｃに上側から広く間接風として当てられるように流されるようになっている。
【００２９】
また、上述した各アームレスト４の前側領域Ａ１に配設された左右両サイドの各吹出口４Ｃから吹き出された風Ｂは、後側のものから前側のものにいくにしたがってそれらの流される向きが徐々に前向き、かつ、より下向きとなっていくように変えられていることで、シートクッション３より前側のシート幅方向の中央、かつ、着座者Ｐの下腿部Ｐｄより前の位置で、互いにシート幅方向に突き当てられる。これにより、互いに左右両サイドから突き当てられた風Ｂ同士が、周囲に突き当てに伴う拡散風を拡散させながら、互いの風Ｂの向きを主として各々の合力方向となる前下向きに曲げて、着座者Ｐの下腿部Ｐｄに前側から広く間接風として当てられると共に着座者Ｐの足部Ｐｅに上側から広く間接風として当てられるように流されるようになっている。
【００３０】
その際、上述した左右両サイドの各吹出口４Ｃから吹き出された風Ｂは、互いにシート幅方向に突き当てられて拡散風を拡散させるようになっていることから、これら拡散風の作用によってその前下側をシート幅方向に流れる風Ｂを後上側から前下側へと押し出す力を作用させるようになっている。上記作用により、各吹出口４Ｃの向きを大きく前向きや下向きにしなくても、吹き出した風Ｂを前側や下側へと大きく角度を変えて流すことができるようになっている。
【００３１】
《後側領域Ａ２の風Ｂについて》
また、上述した各アームレスト４の後側領域Ａ２に配設された左右両サイドの各吹出口４Ｃは、それぞれ、前側（各形成領域Ａにおけるシート前後方向の略中央箇所側）のものから後側のものにいくにしたがって、各々から吹き出される風Ｂの向きが、やや上向きの角度でシート幅方向の内側に略真っ直ぐに向く略横向きの角度から、徐々に後向き、かつ、より上向きとなっていく徐変状の角度向きに設定されている。詳しくは、上述した各吹出口４Ｃの後向きの角度は、それらの風Ｂを当てるターゲットとなる着座者Ｐの胴体部Ｐａや頭部Ｐｂといった身体部位よりも前側の位置に風Ｂを吹き出す向きに設定されている。
【００３２】
しかし、各吹出口４Ｃが上記のような向き設定とされていても、各アームレスト４の後側領域Ａ２に配設された各吹出口４Ｃから吹き出された風Ｂは、次のようにこれらの吹出口４Ｃより後側の位置にある着座者Ｐの胴体部Ｐａや頭部Ｐｂといった広い身体部位に亘って適切に当てられるようになっている。なお、以下の説明では、上述した左右両サイドの各吹出口４Ｃから吹き出される風Ｂの強さは、互いに左右で同じ強さに設定されているものとして説明する。ここで、上述した着座者Ｐの胴体部Ｐａ及び頭部Ｐｂがそれぞれ本発明の「特定の身体部位」に相当する。
【００３３】
すなわち、上述した各アームレスト４の後側領域Ａ２に配設された左右両サイドの各吹出口４Ｃから吹き出された風Ｂは、シートクッション３の着座面領域３Ａ上のシート幅方向の中央、かつ、着座者Ｐの胴体部Ｐａより前側の位置で、互いにシート幅方向に突き当てられる。これにより、互いに左右両サイドから突き当てられた風Ｂ同士が、周囲に突き当てに伴う拡散風を拡散させながら、互いの風Ｂの向きを主として各々の合力方向となる後向きに曲げて、着座者Ｐの胴体部Ｐａに前側から広く間接風として当てられるように流されるようになっている。
【００３４】
また、上述した各アームレスト４の後側領域Ａ２に配設された左右両サイドの各吹出口４Ｃから吹き出された風Ｂは、前側のものから後側のものにいくにしたがってそれらの流される向きが徐々に後向き、かつ、より上向きとなっていくように変えられていることで、これら吹出口４Ｃより後上側のシート幅方向の中央、かつ、着座者Ｐの胴体部Ｐａより前の位置で、互いにシート幅方向に突き当てられる。これにより、互いに左右両サイドから突き当てられた風Ｂ同士が、周囲に突き当てに伴う拡散風を拡散させながら、互いの風Ｂの向きを主として各々の合力方向となる後上向きに曲げて、着座者Ｐの胴体部Ｐａに前側から広く間接風として当てられると共に着座者Ｐの頭部Ｐｂに前下側から広く間接風として当てられるように流されるようになっている。
【００３５】
その際、上述した左右両サイドの各吹出口４Ｃから吹き出された風Ｂは、互いにシート幅方向に突き当てられて拡散風を拡散させるようになっていることから、これら拡散風の作用によってその後上側をシート幅方向に流れる風Ｂを前下側から後上側へと押し出す力を作用させるようになっている。上記作用により、各吹出口４Ｃの向きを大きく後向きや上向きにしなくても、吹き出した風Ｂを後側や上側へと大きく角度を変えて流すことができるようになっている。
【００３６】
したがって、例えば、冬場には、上述した各前側領域Ａ１から吹き出される風Ｂを各後側領域Ａ２から吹き出される風Ｂよりも温かくしたり風量を強めたりすることにより、着座者Ｐに快適な空調風を当てることができる。また、夏場には、上述した各後側領域Ａ２から吹き出される風Ｂを各前側領域Ａ１から吹き出される風Ｂよりも冷たくしたり風量を強めたりすることにより、着座者Ｐに快適な空調風を当てることができる。なお、各吹出口４Ｃは、各前側領域Ａ１のみ又は各後側領域Ａ２のみが風Ｂを吹き出すように切り換えられるようになっていてもよい。
【００３７】
なお、本実施例で対象とする着座者Ｐの体格は、ＡＭ９５等の大柄な体格を想定している。したがって、これよりも体格の小さい着座者Ｐが着座する場合であっても、上記の空調風を着座者Ｐに適切に当てることができる。
【００３８】
また、上述した各吹出口４Ｃは、それぞれ、上述した各側のアームレスト４に対して、それらのシート前後方向の吹き出し角度やシート高さ方向の吹き出し角度を個々に自由に調節することができる角度調節機構Ｄを介して配設された状態とされている。上記角度調節機構Ｄにより、着座者Ｐの体格や使用目的に応じて、各々の吹出口４Ｃの吹き出し角度を適宜自由に調節して、着座者Ｐにより快適な空調風を当てられるようになっている。上記角度調節機構Ｄは、各吹出口４Ｃの吹き出し角度を直接的な手動操作やレバー等を用いた間接的な操作操作で調節できるようになっていてもよいが、所望時のスイッチ操作やシート１の姿勢変化や位置変化を検知する信号検知等を利用した電動操作によって調節できるようになっていてもよい。
【００３９】
《まとめ》
以上をまとめると、本実施例の空調構造１Ａは次のような構成とされている。すなわち、乗物用空調構造（１Ａ）であって、乗物用シート（１）のシート幅方向の両サイド領域に設けられてシート幅方向の内側に向けて風（Ｂ）を吹き出す一対の吹出口（４Ｃ）を有し、一対の吹出口（４Ｃ）が、乗物用シート（１）の着座者（Ｐ）の特定の身体部位（Ｐａ，Ｐｂ，Ｐｃ，Ｐｄ，Ｐｅ）に向けてシート幅方向とは交差する方向（シート高さ方向又はシート前後方向）に斜めに風（Ｂ）を吹き出して各々から吹き出した風（Ｂ）同士をシート幅方向に突き当てる配置関係とされている。
【００４０】
このように、一対の吹出口（４Ｃ）からシート幅方向とは交差する方向（シート高さ方向又はシート前後方向）に斜めに吹き出した風（Ｂ）を互いにシート幅方向に突き当てるようにすることで、突き当てられた風（Ｂ）の向きが更に斜めの方向に曲げられるように変えられる。したがって、上記風（Ｂ）を当てたい着座者（Ｐ）の身体部位（Ｐａ，Ｐｂ，Ｐｃ，Ｐｄ，Ｐｅ）が一対の吹出口（４Ｃ）の吹出し方向から外れた届きにくい位置にあっても、上記風（Ｂ）の向きが突き当たりによって変えられる構成により効率的に風（Ｂ）を当てられるようにすることができる。
【００４１】
また、一対の吹出口（４Ｃ）が、乗物用シート（１）のシートバック（２）より前側の両サイド領域に設けられる乗物内装部材（４Ｂ）に設けられている。このような構成とされていることにより、一対の吹出口（４Ｃ）を、着座者（Ｐ）の様々な身体部位（Ｐａ，Ｐｂ，Ｐｃ，Ｐｄ，Ｐｅ）に向けてシート幅方向とは交差する方向（シート高さ方向又はシート前後方向）に斜めに風（Ｂ）を吹き出せる好適な位置に設定することができる。
【００４２】
また、一対の吹出口（４Ｃ）が設けられる乗物内装部材（４Ｂ）が、乗物用シート（１）の両サイド領域に設けられるアームレスト（４）の構造部材（４Ｂ）である。このような構成とされていることにより、乗物用シート（１）の両サイド領域に設けられるアームレスト（４）の構造部材（４Ｂ）の構成を利用して、一対の吹出口（４Ｃ）を、着座者（Ｐ）の様々な身体部位（Ｐａ，Ｐｂ，Ｐｃ，Ｐｄ，Ｐｅ）に向けて斜めに風（Ｂ）を吹き出せる好適な位置に設定することができる。
【００４３】
また、一対の吹出口（４Ｃ）が、それぞれ、乗物用シート（１）のシートクッション（３）より上側かつシートクッション（３）とシート前後方向の配置が重なる両サイド領域にシート前後方向に複数並んで設けられ、各々から吹き出される風（Ｂ）の向きが前側領域（Ａ１）に設けられた両サイドの対が下斜め向きとされ後側領域（Ａ２）に設けられた両サイドの対が上斜め向きとされている。
【００４４】
このような構成とされていることにより、シート前後方向に複数並んで設けられた吹出口（４Ｃ）の両サイドの対のうち、前側領域（Ａ１）に設けられた両サイドの対から吹き出される下斜め向きの風（Ｂ）により、これらの対から下側に離れた着座者の大腿部（Ｐｃ）や下腿部（Ｐｄ）や足部（Ｐｅ）に効率的に風（Ｂ）を当てることができる。また、後側領域（Ａ２）に設けられた両サイドの対から吹き出される上斜め向きの風（Ｂ）により、これらの対から上側に離れた着座者（Ｐ）の胴体部（Ｐａ）や頭部（Ｐｂ）に効率的に風（Ｂ）を当てることができる。
【００４５】
また、一対の吹出口（４Ｃ）が、各々の風（Ｂ）の吹き出し方向をシート幅方向とは交差する方向（シート高さ方向又はシート前後方向）に調節可能である（角度調節機構（Ｄ））。このような構成とされていることにより、特定位置に設けられた一対の吹出口（４Ｃ）から、着座者（Ｐ）の様々な身体部位（Ｐａ，Ｐｂ，Ｐｃ，Ｐｄ，Ｐｅ）に効率的に風（Ｂ）を当てられるように、吹出し方向の調節をすることができる。
【００４６】
《その他の実施形態について》
以上、本発明の実施形態を１つの実施例を用いて説明したが、本発明は上記実施例のほか各種の形態で実施することができるものである。例えば、本発明の乗物用空調構造は、鉄道等の自動車以外の車両や、航空機、船舶等を含む様々な乗物用に供される空調構造に適用することができるものである。
【００４７】
また、各一対の吹出口は、乗物用シートの両サイド領域に設けられるアームレストの構造部材の他、シート構造体に設けられる他の構造部材や、ドアトリムや隣り合うシートのシート構造体や隣り合うシートとの間に設けられるセンタコンソール等の乗物用シートのシートバックより前側の両サイド領域に設けられる他の乗物内装部材に設けられるものであってもよい。また、上述したアームレストは、上記実施例で示したようにシートクッションから立板状に延びる形に設けられるものであってもよいが、シートバックから前側に延びる形に設けられるものであってもよい。
【００４８】
また、一対の吹出口から吹き出される風は、互いに異なる温度、湿度、又は強さで吹き出されるものであってもよく、また、互いにシート幅方向に突き当てられる向きであれば互いに左右対称とならない向きで吹き出されるものであってもよい。また、上記実施例では、一対の吹出口の各々の開口形状や大きさについては特に記載しなかったが、各々の開口形状や大きさは特定のものに限定されることなく、適宜の開口形状や大きさのものが適用可能となるものである。また、一対の吹出口は、特定方向に複数並んで設けられるものであってもよいが、特定方向にひと続き状に延びる長い開口形状から成るものであってもよい。
【符号の説明】
【００４９】
１      シート（乗物用シート）
１Ａ    空調構造（乗物用空調構造）
２      シートバック
３      シートクッション
３Ａ    着座面領域
４      アームレスト
４Ａ    立板部
４Ｂ    天板部（乗物内装部材、アームレストの構造部材）
４Ｃ    吹出口
Ａ      形成領域
Ａ１    前側領域
Ａ２    後側領域
Ｂ      風
Ｃ      空調ユニット
Ｃｄ    ダクト
Ｐ      着座者
Ｐａ    胴体部（特定の身体部位）
Ｐｂ    頭部（特定の身体部位）
Ｐｃ    大腿部（特定の身体部位）
Ｐｄ    下腿部（特定の身体部位）
Ｐｅ    足部（特定の身体部位）
Ｄ      角度調節機構
【図１】
2019001378.tif 000003
【図２】
2019001378.tif 000004
【図３】
2019001378.tif 000005
【図４】
2019001378.tif 000006